(57)【要約】【課題】表示部の表面に冷気が触れ結露するのを防止する。【解決手段】本体１と、本体の前面下部であって吹出口５の上方に位置するように設けた表示部９とを備え、前記表示部はその下端と前記吹出口の上端開口縁との間を隔壁１０で覆い、かつ、前記隔壁１０には下向きに突出する凸状部１１を設けた構成としてある。これにより、吹出口から吹出した冷気の一部が吹出口の上端縁から隔壁に沿って表示部側に分流してもこの空調空気は凸状部によって下向きにその流れを変えてそのまま前方へと吹出すようになる。したがって、表示部の表面に冷気が触れて表示部の内面に結露が生じるのを抑制でき、表示部内の電装部品が故障等するのを防止できる。【選択図】図４
2016075459.tif 000002
【特許請求の範囲】
【請求項１】
本体と、前記本体の下部に開口させた吹出口と、前記本体の前面下部であって前記吹出口の上方に位置するように設けた表示部とを備え、かつ、前記表示部の下端と前記吹出口の上端開口縁との間を隔壁で覆うとともに、前記隔壁には下向きに突出する凸状部を設けた空気調和機。
【請求項２】
隔壁の凸状部は断面略円弧状とするとともに当該凸状部に連続してその表示部側に断面形状が略円弧状の凹状部を設けた請求項１に記載の空気調和機。
【請求項３】
吹出口の上端開口縁には隔壁より下方に突出する第二の凸状部を設けた請求項１または２に記載の空気調和機。
【発明の詳細な説明】
【技術分野】
【０００１】
本発明は、室内の空調を行うための空気調和機、特に本体への結露を抑制した空気調和機に関する。
【背景技術】
【０００２】
一般家庭で使用される空気調和機においては、通常、室内への騒音及び振動を抑制するために、コンプレッサ等の大きな騒音源、振動源となるものを室外機に配設し、騒音及び振動の少ないファンや熱交換器等を室内機に配設したセパレータ型が用いられている。そして上記室外機と室内機は、冷媒配管と制御用配線で互いに機械的及び電気的に接続されており、互いに協働して空調動作を行っている。
【０００３】
このように構成された空気調和機の室内機は、室内の壁面上部等に設置されて、室内が所望の温度となるよう空調動作を行うが、その室内機の前面下部には設定温度や現在温度等を表示する液晶やリモートコントロールからの信号を受信する受信部等の電気部品を内蔵した表示部が設けてある（例えば、特許文献１参照）。
【０００４】
図９は上記特許文献１に記載されている空気調和機を示し、本体１０１の前面下部に表示部１０２が設けてあり、この表示部１０２に液晶やリモートコントロールからの信号の受信部（いずれも図示せず）が設けてあって、使用者はこの表示部１０２に向けてリモートコントロールから運転や設定温度指令等を送信するとともに、設定温度や室内温度等の運転状況を知ることができるようになっている。
【先行技術文献】
【特許文献】
【０００５】
【特許文献１】特開２００５−１３３９９８号公報
【発明の概要】
【発明が解決しようとする課題】
【０００６】
しかしながら、上記従来の構成では、表示部１０２が本体１０１の下部に設けた吹出口１０３の直上に位置することになって、吹出口１０３から吹出す空調空気の一部が分流して表示部１０２の表面に触れることがある。そして、このようなことが冷房運転時に生じると、上記表示部１０２の表面に冷気が触れることになって表示部１０２内面に結露が生じ、表示が見にくくなったり、リモートコントロールから指令信号がうまく受信できなくなったりするとともに、場合によっては表示部１０２内の電気部品が故障する、等のことが生じる課題があった。
【０００７】
本発明はこのような点に鑑みてなしたもので、冷房運転時に表示部の表面に冷気が触れるのを抑制して結露による障害が発生しないようにした信頼性の高い空気調和機の提供を目的としたものである。
【課題を解決するための手段】
【０００８】
本発明は、前記目的を達成するために、本体と、前記本体の下部に開口させた吹出口と、前記吹出口から吹き出される空気の向きを変更する風向変更羽根と、前記本体の前面下部であって前記吹出口の上方に位置するように設けた表示部とを備え、かつ、前記表示部の下端と前記吹出口の上端開口縁との間を隔壁で覆うとともに、前記隔壁には下向きに突出する凸状部を設けた構成としてある。
【０００９】
これにより、吹出口から吹出した空調空気の一部が吹出口の上端縁から隔壁に沿って表示部側に分流してもこの空調空気は凸状部によって下向きにその流れを変えてそのまま前方へと吹出すようになる。したがって、表示部の表面に空調空気、例えば冷房運転中の冷気が触れて表示部の内面に結露が生じるのを抑制でき、表示部内の電気部品が故障等するのを防止できる。
【発明の効果】
【００１０】
本発明は、上記した構成によって、冷房運転中に生じやすい表示部内の結露による故障等を抑制し、信頼性の高い空気調和機を提供することができる。
【図面の簡単な説明】
【００１１】
【図１】本発明の実施の形態１に係る空気調和機における室内機の斜視図
【図２】同実施の形態１に係る空気調和機の断面図
【図３】同実施の形態１に係る空気調和機を表示部部分で切断した断面図
【図４】同実施の形態１に係る空気調和機の表示部部分における拡大断面図
【図５】同実施の形態１に係る空気調和機の表示部部分における要部拡大断面図
【図６】同実施の形態１に係る空気調和機の表示部の軸支構成を示す拡大斜視図
【図７】同実施の形態１に係る空気調和機の表示部の軸支構成を示す拡大分解斜視図
【図８】本発明の実施の形態２係る空気調和機の表示部における拡大断面図
【図９】従来の空気調和機を示す断面図
【発明を実施するための形態】
【００１２】
第１の発明は、本体と、前記本体の下部に開口させた吹出口と、前記本体の前面下部であって前記吹出口の上方に位置するように設けた表示部とを備え、かつ、前記表示部の下端と前記吹出口の上端開口縁との間を隔壁で覆うとともに、前記隔壁には下向きに突出する凸状部を設けた構成としてある。
【００１３】
これにより、吹出口から吹出した空調空気の一部が吹出口の上端縁から隔壁に沿って表示部側に分流してもこの空調空気は凸状部によって下向きにその流れを変えてそのまま前方へと吹出すようになる。したがって、表示部の表面に空調空気、例えば冷房運転中の冷気が触れて表示部の内面に結露が生じるのを抑制でき、表示部内の電気部品が故障等するのを防止できる。
【００１４】
第２の発明は、第１の発明において、前記隔壁の凸状部は断面略円弧状とするとともに当該凸状部に連続してその表示部側に断面形状が略円弧状の凹状部を設けた構成としてある。
【００１５】
これにより、凸状部によって下向きに流れを変えた空気の一部が再度凸状部下流側の表示部側の面に再付着して表示部表面に触れるのを防止でき、より確実に冷気等が表示部表面に触れるのを抑制して信頼性を高めることができる。
【００１６】
第３の発明は、第１または第２の発明において、前記吹出口の上端開口縁には隔壁より下方に突出する第二の凸状部を設けた構成としてある。
【００１７】
これにより、吹出口の上端開口縁から吹出す空調空気はまず第二の凸状部によって隔壁から離反する下方向へと案内され、更に隔壁に設けた凸状部によって更にその流れを下向きに変えてそのまま前方へと吹出すようになり、表示部表面へ冷気等が触れるのをより確実に抑制して信頼性を高めることができる。
【００１８】
以下、本発明の空気調和機に係る実施の形態について、添付の図面を参照しながら説明
する。なお、以下の実施の形態の空気調和機においては、具体的な構成について説明するが、本発明は、以下の実施の形態の具体的な構成に限定されるものではなく、同様の技術的思想に基づく構成が適用された各種空気調和機を含むものである。
【００１９】
（実施の形態１）
図１〜図３は、本実施の形態に係る空気調和機の全体構成を示すもので、同図において、本体１は、内部に熱交換器２、送風ファン３を備えている。また、本体１は、上方および前方に開口部４を下方に吹出口５をそれぞれ有しており、開口部４から吸い込んだ空気は熱交換器２を通過し、吹出口５から室内に送風するように構成されている。開口部４と熱交換器２との間には、熱交換器２を通過する空気の粉塵を除去するためにエアフィルタ６が設けられている。
【００２０】
また、吹出口５には上下風向変更羽根（以下、上下羽根と称す）７が備えられており、室内へ送風する際の上下方向の位置を変更することができる。上下羽根７は、上羽根７ａと、この上羽根７ａの下方に設けられた下羽根７ｂとを備えている。上羽根７ａ、下羽根７ｂはそれぞれ、左右両端のいずれかの回転軸において、ステッピングモータ等からなる駆動モータの回転軸に連結されている（図示せず）。そして、この駆動モータの動作により、上羽根７ａ、下羽根７ｂは、それぞれ上下方向に回動する。
【００２１】
また、送風ファン３の下流側から吹出口５の上流側に至る通風路には、空気の吹き出し方向を左右に変更することができる複数枚の左右羽根が設けられている。複数枚の左右羽根は、羽根の動きを連動させる連結桟により連結されている。連結桟はステッピングモータ等からなる駆動モータの回転軸に連結されている（図示せず）。そして、この駆動モータの動作により、複数枚の左右羽根は、それぞれ左右方向に回動する。
【００２２】
また、本体１の天面と前面パネル８とエアフィルタ６との間には電装ユニット１ａが配置してある。この電装ユニット１ａは本体１を構成する台枠の一部を利用して装着してあり、送風ファン３、上下羽根７、左右羽根、圧縮機等を制御して当該空気調和機の運転を制御する制御装置となっている。
【００２３】
さらに本体１は、その前面に本体１の前面を覆う前面パネル８が設けられており、上部の軸支部（図示せず）を中心に下方部を手前上方に回動させて開くことができるようになっていて、エアフィルタ６や本体制御ユニット１ａがメンテナンスできるようになっている。
【００２４】
前面パネル８の下方には、カバー部材１３が設けられている。カバー部材１３は、吹出口５の上面の端部付近を中心として、本体側の一端が本体１に軸支されるようにして構成されている。すなわち、カバー部材１３を完全に取り外さない状態であっても、カバー部材１３の他端側が開口するように構成されている。
【００２５】
また、本体１は、吹出口５の上方であって前方側に、表示部９が設けられている。表示部９は前面パネル８の下端より下方に位置している。表示部９は内部に基板を備えており、本体１の稼働状況を表示する液晶や、リモコンからの電波を受信する受信部等の電気部品を備えている。表示部９に用いられる電気部品が配置された基板は、カバー部材１３の背面側に保持されている。表示部９はカバー部材１３の長手方向の略中央部に設けられている。
【００２６】
さらに図４に示すように、表示部９の下端部９ａと吹出口５の上端開口縁５ａとの間は隔壁１０によって覆われている。これにより、吹出口５から吹出される空気が表示部９の下端部９ａと吹出口５の上端開口縁５ａとの間から本体１内に入らないようにしてある。
【００２７】
また、隔壁１０には表示部９の下端部９ａと吹出口５の上端開口縁５ａとの間の略中央部に、吹出口５の横幅ほぼ全域に亘って断面略円弧状の凸状部１１が形成してある。更にこの凸状部１１の表示部９側に断面略円弧状の凹状部１２が連続形成してある。
【００２８】
以上のように構成された空気調和機の作用効果について以下説明する。
【００２９】
吹出口５から吹出される空気は上下羽根７によって変更され、室内を冷房或いは暖房する。
【００３０】
ここで、冷房時には上下羽根７は主に図４に示すようにほぼ水平方向になり、吹出口５からの冷気をほぼ水平方向に吹出すことになる。
【００３１】
この時、上記冷気の一部は図４、図５の矢印Ｘで示すようにその一部が分流して隔壁１０に沿うように流れるが、この実施の形態では隔壁１０に凸状部１１が形成してあるから、前記冷気の流れは同図矢印Ｙで示すように下向きに流れを変え、そのまま前方へと吹出すようになる。これにより、表示部９の表面に冷気が触れるのを抑制でき、冷気付着による表示部９内面の結露発生を防止し、結露水による表示部内の電気部品の故障等を防止できる。
【００３２】
特に、この実施の形態では、凸状部１１よりも下流の表示部９側に当該凸状部１１に連続して凹状部１２を設けてあるから、凸状部１１によって下向きに流れを変えた空気が図４、図５の破線矢印で示すように隔壁１０面に再付着するのを防止することができる。したがって表示部９の表面への冷気付着をより確実に防止することができ、表示部９内の結露発生をより確実に防止できる。
【００３３】
また、隔壁１０に設けた凹状部１２は当該凹状部に再付着する冷気があったとしてもこの空気を凹状部１２の略円弧面に沿ってスムーズに前方へと流し、表示部９の下端９ａと隔壁１０の上端部１０ａとの間の隙間に冷気が侵入するのを防止することもできる。よって、表示部９内への冷気侵入による基板等の露付きも防止することができる。このように簡易な構成で、表示部９の長期使用に対する信頼性を向上させることができる。
【００３４】
また、図２に示すように、上下羽根７で吹出口５を閉じた状態では、上羽根７ａが隔壁１０の下方を覆うように構成されている。このため、隔壁１０に凸状部１１や凹状部１２を設けても、空気調和機の停止時には、凸状部１１や凹状部１２が表に表れず、本体１の意匠性を悪化させることはない。なお、本実施の形態では、上羽根７ａが隔壁１０のすべてを覆うように構成したが、少なくとも、凸状部１１を覆えば、本体１の意匠性を悪化させることはない。
【００３５】
なお、表示部９はそのカバー部材１３の下端部１３ａを本体１の隔壁１０上端近傍部分に軸支（構成については後述する）して図３の矢印に示すように前方かつ下方へ開閉可能に構成してあり、表示部９の内部や背面側に設けられている電気部品の基板の状況を確認したり、必要であれば交換したりすることができるようになっている。
【００３６】
カバー部材１３の軸支構成は図６、図７に示すようになっている。なお、図７は、軸支持部分の形状を見やすく図示するために、カバー部材１３の長手方向を本体１の長手方向に対して傾斜させて図示している。
【００３７】
図６、図７において、カバー部材１３は、その両端に、カバー部材１３の長手方向に対して垂直な側壁１５を備えている。側壁１５には外側に突出する軸部１６が一体に形成さ
れている。そしてこの軸部１６は、断面が略Ｃ字形状の中空の軸で、背面側はスリット状の開口部を備えている。
【００３８】
一方、カバー部材１３を軸支する本体１は、カバー部材１３の側壁１５よりさらに外側に位置するように前方に突出する板状の軸受支持部１７を有している。軸受支持部１７は、軸受支持部１７から外側に突出する略円柱状の軸受部１８を備えている。軸受部１８はその上方にスリット状の開口部が設けられている。また、軸受支持部１７は、軸受部１８の上部に、軸受部１８の径より大きい径を有する孔部１９を備えており、軸受部１８のスリット状の開口部と孔部１９とは連通している。
【００３９】
そして、カバー部材１３の軸部１６は軸受支持部１７の内側から軸受部１８に嵌合させて軸支してあり、この軸支部、すなわち軸部１６内を通して表示部９の電気部品へのリード線（図示せず）が配線してある。その際、リード線はカバー部材１３を開いた状態で合致する軸部１６のスリット状の開口部と軸受部１８のスリット状の開口部を通して配線でき、しかもその時、軸部１６や軸受部１８の内径より大きいリード線先端のコネクタ等は孔部１９を介して表示部９側に通すことができ、容易に配線作業を行うことができる。
【００４０】
なお、カバー部材１３を閉じた状態では、軸部１６に設けられたスリット状の開口部と、軸受部１８に設けられたスリット状の開口部とが一致しなくなるので、リード線が軸部１６内から抜け出ることを防止できる。しかも、カバー部材１３を閉じた状態では、孔部１９の大部分は、側壁１５によって塞がれる。このため、孔部１９からカバー部材１３内に粉塵等が侵入することを防止できる。加えて、既述したように表示部９下方、すなわちカバー部材１３の下端部９ａと隔壁１０の上端部１０ａとの間の隙間から冷気が侵入するのを防止されているから、軸部１６と軸受部１８との間の摺動部分に結露が生じて粉塵が堆積固形化するようなことも防止でき、カバー部材１３の回動を長期間に亘って良好なものに維持することができる。
【００４１】
（実施の形態２）
図８は実施の形態２における空気調和機の要部を示す拡大断面図である。
【００４２】
この実施の形態では前記実施の形態１の構成に加え、更に吹出口５の上端開口縁５ａに隔壁１０下端部を覆う第二の凸状部１４が形成してある。
【００４３】
これにより吹出口５上端開口縁５ａから吹出す冷気はまず第二の凸状部１４によって隔壁１０から離反する下方向へと案内され、更に隔壁１０に設けた凸状部１１によって更にその流れを下向きに変えてそのまま前方へと吹出すようになる。すなわち、吹出口５から送風される冷気が隔壁１０に直接吹き付けるのを防止して隔壁１０から離反する方向にその流れを変えることができ、より確実に表示部９の表面への冷気付着による結露発生を防止することができる。
【産業上の利用可能性】
【００４４】
本発明は、冷房運転中に生じやすい表示部内の結露による故障等を抑制し、信頼性の高い空気調和機とすることができ、業務用及び一般家庭等で使用される空気調和機として有用である。
【符号の説明】
【００４５】
１  本体
２  熱交換器
３  送風ファン
４  開口部
５  吹出口
６  エアフィルタ
７  上下風向変更羽根（上下羽根）
７ａ  上羽根
７ｂ  下羽根
８  前面パネル
９  表示部
１０  隔壁
１１  凸状部
１２  凹状部
１３  カバー部材
１４  第二の凸状部
１５  側壁
１６  軸部
１７  軸受支持部
１８  軸受部
１９  孔部
【図１】
2016075459.tif 000003
【図２】
2016075459.tif 000004
【図３】
2016075459.tif 000005
【図４】
2016075459.tif 000006
【図５】
2016075459.tif 000007
【図６】
2016075459.tif 000008
【図７】
2016075459.tif 000009
【図８】
2016075459.tif 000010
【図９】
2016075459.tif 000011